(57)【特許請求の範囲】
【請求項１】
前端開口が閉鎖され、後端側に雄ねじ付き給湯または給水管接続口部が設けられ、かつ周壁に湯または水導出孔があけられた水平筒状第１管継手部材と、
湯または水導出孔を覆うように第１管継手部材に回動可能にかつ前後移動可能に嵌め被せられた回動筒部、回動筒部の周壁にあけられた湯または水通過孔の外周縁に外方突出状に設けられた外方突出筒部、および外方突出筒部の先端側に連なって前方に伸びた混合水栓接続口部よりなる第２管継手部材とを備え、
第１管継手部材の湯または水導出孔と回動筒部の湯または水通過孔とを連通させるように、第１管継手部材の外周面および回動筒部の内周面のうち少なくとも一方に環状連通溝が設けられ、
回動筒部の内周面と、第１管継手部材の外周面とに、回動筒部を後方に移動させた際に互いに嵌まり合って回動筒部の回動を阻止しうる一方、回動筒部を前方に移動させた際に互いに前後にずれて回動筒部の回動を許容しうる嵌合部が設けられている、混合水栓接続用管継手。
【請求項２】
両嵌合部が歯車形の横断面を有している、請求項１記載の混合水栓接続用管継手。
【請求項３】
両嵌合部が多角形の横断面を有している、請求項１記載の混合水栓接続用管継手。
【請求項４】
両嵌合部が欠円形の横断面を有している、請求項１記載の混合水栓接続用管継手。
【請求項５】
一方の嵌合部が少なくとも１つの嵌合凸部よりなり、他方の嵌合部が嵌合凸部に嵌合する少なくとも１つの嵌合凹部よりなる、請求項１記載の混合水栓接続用管継手。
【請求項６】
前端開口が閉鎖され、後端側に雄ねじ付き給湯または給水管接続口部が設けられ、かつ周壁に湯または水導出孔があけられた水平筒状第１管継手部材と、
湯または水導出孔を覆うように第１管継手部材に回動可能にかつ前後移動可能に嵌め被せられた回動筒部、回動筒部の周壁にあけられた湯または水通過孔の外周縁に外方突出状に設けられた外方突出筒部、および外方突出筒部の先端側に連なって前方に伸びた混合水栓接続口部よりなる第２管継手部材とを備え、
第１管継手部材の湯または水導出孔と回動筒部の湯または水通過孔とを連通させるように、第１管継手部材の外周面および回動筒部の内周面のうち少なくとも一方に環状連通溝が設けられ、
回動筒部の内周面後端部および第１管継手部材の外周面における回動筒部前後移動区域の後端部のうちいずれか一方に、少なくとも１つの凸部が設けられるとともに、同他方に、凸部と係合して雄ねじ締付方向への回動筒部の回動を阻止する第１切欠部と、凸部と係合して雄ねじ緩み方向への回動筒部の回動を阻止する第２切欠部とが設けられ、
第１切欠部に、凸部と係合した状態から回動筒部を雄ねじ緩み方向に回動させた際に凸部を第１切欠部の外に送り出す傾斜状第１案内面が設けられている、混合水栓接続用管継手。
【請求項７】
さらに、第２切欠部に、凸部と係合した状態から回動筒部を雄ねじ締付方向に回動させた際に凸部を第２切欠部の外に送り出す傾斜状第２案内面が設けられている、請求項６記載の混合水栓接続用管継手。
【請求項８】
回動筒部の前後移動可能距離が２〜１０ｍｍである、請求項１〜７のいずれか１つに記載の混合水栓接続用管継手。
【発明の詳細な説明】
【０００１】
【発明の属する技術分野】
本発明は、壁の裏側等に配された給湯管および給水管の各末端に混合水栓を接続するのに用いられ、一般にクランクと呼ばれる、混合水栓接続用管継手に関する。
【０００２】
【従来の技術および発明が解決しようとする課題】
この種の管継手としては、一体成形されたクランク形管体の後端部に雄ねじ付き給湯または給水管接続口部が設けられ、同前端部に混合水栓接続口部が設けられてなるものが一般に知られている。
【０００３】
上記管継手を使って混合水栓を接続する場合、まず、管継手後端部の雄ねじにシールテープを巻いておいてから、同雄ねじを給湯管および給水管の各末端に設けられた雌ねじにねじ込む必要がある。
【０００４】
ところが、雄ねじのねじ込み作業が完了した時点で、混合水栓接続口部が混合水栓を接続するのに適した位置に来ていることは稀であって、混合水栓接続口部が上記所要位置に来るまで雄ねじのねじ込み作業を何度かやり直す必要があり、非常に手間が掛かっていた。
【０００５】
また、給水管および給湯管の配管状態によっては、これらの管の末端に設けられた雌ねじの前端が互いに前後方向にずれていることもあるが、上記管継手の場合、これら雌ねじ前端の位置ズレを吸収することができず、そのままでは混合水栓を正常に接続できない場合があった。
【０００６】
本発明の目的は、上記の問題点を一挙に解決できる施工性に優れた混合水栓接続用管継手を提供することにある。
【０００７】
【課題を解決するための手段および発明の効果】
本発明による第１の混合水栓接続用管継手は、前端開口が閉鎖され、後端側に雄ねじ付き給湯または給水管接続口部が設けられ、かつ周壁に湯または水導出孔があけられた水平筒状第１管継手部材と、湯または水導出孔を覆うように第１管継手部材に回動可能にかつ前後移動可能に嵌め被せられた回動筒部、回動筒部の周壁にあけられた湯または水通過孔の外周縁に外方突出状に設けられた外方突出筒部、および外方突出筒部の先端側に連なって前方に伸びた混合水栓接続口部よりなる第２管継手部材とを備え、第１管継手部材の湯または水導出孔と回動筒部の湯または水通過孔とを連通させるように、第１管継手部材の外周面および回動筒部の内周面のうち少なくとも一方に環状連通溝が設けられ、回動筒部の内周面と、第１管継手部材の外周面とに、回動筒部を後方に移動させた際に互いに嵌まり合って回動筒部の回動を阻止しうる一方、回動筒部を前方に移動させた際に互いに前後にずれて回動筒部の回動を許容しうる嵌合部が設けられているものである。
【０００８】
上記管継手にあっては、第２管継手部材の回動筒部を第１管継手部材に対して後方に移動させると、回動筒部と第１管継手部材の嵌合部どうしが互いに嵌まり合って、回動筒部が第１管継手部材に対して回動不能となる。一方、回動筒部を第１管継手部材に対して前方に移動させると、両者の嵌合部どうしが互いに前後にずれて、回動筒部が第１管継手部材に対して回動可能となる。
【０００９】
したがって、上記管継手を用いて混合水栓を給湯管および給水管に接続する場合、まず、管継手の回動筒部を後方に移動させて回動筒部と第１管継手部材の嵌合部どうしを嵌合させておいてから、第２管継手部材を持って第１管継手部材後端側の雄ねじを給湯管および給水管の各末端の雌ねじにねじ込む。そして、雄ねじのねじ込み作業が完了したら、管継手の回動筒部を前方に移動させて前記嵌合部どうしを外し、混合水栓接続口部が混合水栓を接続するのに適した位置に来るように回動筒部を回動させる。最後に、混合水栓接続口部を混合水栓本体の湯または水導入口に接続する。この際、給水管および給湯管各末端の雌ねじの位置が前後方向にずれている場合には、それに応じて一方または両方の管継手の回動筒部を前方または後方に移動させればよい。以上の通り、本発明による第１の混合水栓接続用管継手によれば、給湯管および給水管への混合水栓の接続作業を極めて容易にかつ確実に行うことができる。
【００１０】
本発明による第１の混合水栓接続用管継手において、両嵌合部は、これらの嵌合状態において、回動筒部が第１管継手部材に対して回動不能となるようなものであれば、特に限定されないが、例えば以下のような横断面を有するものとなされる。
即ち、両嵌合部が歯車形の横断面を有している場合がある。
また、両嵌合部が多角形の横断面を有している場合もある。
両嵌合部が欠円形の横断面を有している場合もある。
さらには、一方の嵌合部が少なくとも１つの嵌合凸部よりなり、他方の嵌合部が嵌合凸部に嵌合する少なくとも１つの嵌合凹部よりなる場合もある。この場合、嵌合凹部の数を嵌合凸部の数より多くしておいて、嵌合凸部と一部の嵌合凹部とを嵌合させるようにしてもよい。このようにすれば、嵌合部どうしを嵌合させるために、回動筒部を第１管継手部材に対して回動方向に位置合わせするのが容易となる。具体的には、例えば、回動筒部の内周面および第１管継手部材の外周面のうち一方に１つの嵌合凸部を設け、同他方に周方向に等間隔おきに２以上の嵌合凹部を設けてもよい。また、前記一方に対称位置にある２つの嵌合凸部を設け、前記他方に周方向に等間隔おきに４以上の偶数の嵌合凹部を設けてもよい。なお、両嵌合部は、互いにきつく嵌合されるようなものである必要はなく、むしろ、嵌合のし易さや磨耗の低減等を考慮すると、回動筒部が若干遊ぶ程度において、互いに緩く嵌合されるようなものであるのが好ましい。
【００１１】
また、回動筒部の内周面および第１管継手部材の外周面において、両嵌合部が設けられる位置は、回動筒部を後方に移動させた際に互いに嵌まり合い、回動筒部を前方に移動させた際に互いに前後にずれるような位置であれば特に限定はされない。具体的には、回動筒部について、これの内周面の後端部、長さ中間部、前端部のいずれに嵌合部が設けられてもよく、一方、第１管継手部材については、これの外周面における回動筒部前後移動区域の後端部または長さ中間部に嵌合部が設けられる。
【００１２】
次に、本発明による第２の混合水栓接続用管継手は、前端開口が閉鎖され、後端側に雄ねじ付き給湯または給水管接続口部が設けられ、かつ周壁に湯または水導出孔があけられた水平筒状第１管継手部材と、湯または水導出孔を覆うように第１管継手部材に回動可能にかつ前後移動可能に嵌め被せられた回動筒部、回動筒部の周壁にあけられた湯または水通過孔の外周縁に外方突出状に設けられた外方突出筒部、および外方突出筒部の先端側に連なって前方に伸びた混合水栓接続口部よりなる第２管継手部材とを備え、第１管継手部材の湯または水導出孔と回動筒部の湯または水通過孔とを連通させるように、第１管継手部材の外周面および回動筒部の内周面のうち少なくとも一方に環状連通溝が設けられ、回動筒部の内周面後端部および第１管継手部材の外周面における回動筒部前後移動区域の後端部のうちいずれか一方に、少なくとも１つの凸部が設けられるとともに、同他方に、凸部と係合して雄ねじ締付方向への回動筒部の回動を阻止する第１切欠部と、凸部と係合して雄ねじ緩み方向への回動筒部の回動を阻止する第２切欠部とが設けられ、第１切欠部には、凸部と係合した状態から回動筒部を雄ねじ緩み方向に回動させた際に凸部を第１切欠部の外に送り出す傾斜状第１案内面が設けられているものである。
【００１３】
本発明による第２の混合水栓接続用管継手において、さらに、第２切欠部に、凸部と係合した状態から回動筒部を雄ねじ締付方向に回動させた際に凸部を第２切欠部の外に送り出す傾斜状第２案内面が設けられていてもよい。
【００１４】
上記管継手にあっては、第２管継手部材の回動筒部を第１管継手部材に対して後方に移動させて、凸部を第１切欠部に嵌め入れると、凸部と第１切欠部との係合によって、回動筒部が第１管継手部材に対して雄ねじ締付方向に回動不能となる。なお、第２切欠部に第２案内面が設けられている場合には、凸部を誤って第２切欠部に嵌め入れたとしても、回動筒部を雄ねじ締付方向に回動させると、第２案内面によって凸部が外に送り出されるため、誤操作のおそれがない。一方、この状態から回動筒部を第１管継手部材に対して雄ねじ緩み方向に回動させると、凸部が第１案内面によって第１切欠部の外に送り出され、回動筒部が第１管継手部材に対して回動可能となる。
また、第２管継手部材の回動筒部を第１管継手部材に対して後方に移動させて、凸部を第２切欠部に嵌め入れると、凸部と第２切欠部との係合によって、回動筒部が第１管継手部材に対して雄ねじ緩み方向に回動不能となる。凸部を誤って第１切欠部に嵌め入れた場合でも、回動筒部を雄ねじ緩み方向に回動させると、第１案内面によって凸部が外に送り出されるため、誤操作のおそれがない。一方、この状態から回動筒部を第１管継手部材に対して前方に移動させると、凸部が第２切欠部から外れて、回動筒部が第１管継手部材に対して回動可能となる。また、第２切欠部に第２案内面が設けられている場合には、回動筒部を第１管継手部材に対して雄ねじ締付方向に回動させると、凸部が第２案内面によって第２切欠部の外に送り出され、回動筒部が第１管継手部材に対して回動可能となる。
【００１５】
上記管継手を用いて混合水栓を給湯管および給水管に接続する場合、例えば、次のように作業を行うことができる。即ち、まず、管継手における第２管継手部材の回動筒部を後方に移動させて、凸部を第１切欠部に嵌め入れる。こうしておいて、第１管継手部材後端側の雄ねじを給湯管および給水管の各末端の雌ねじに合わせ、第２管継手部材の回動筒部を雄ねじ締付方向に回動させる。すると、凸部と第１切欠部とが係合して、回動筒部が第１管継手部材に対して雄ねじ締付方向に回動不能な状態、即ち、空回りしない状態となるので、雄ねじを雌ねじにねじ込むことができる。雄ねじのねじ込み作業が完了したら、回動筒部を雄ねじ緩み方向に回動させる。すると、凸部が第１案内面によって第１切欠部の外、即ち前方に送り出され、回動筒部が第１管継手部材に対して回動可能となる。このように、上記管継手の場合、回動筒部を前方に移動させて第１管継手部材に対して回動可能な状態にする際に、誤って雄ねじを緩めてしまうおそれがない。そして、混合水栓接続口部が混合水栓を接続するのに適した位置に来るように回動筒部を回動させる。最後に、混合水栓接続口部を混合水栓の水栓本体における湯または水導入口に接続する。この際、給水管および給湯管各末端の雌ねじの位置が前後方向にずれている場合には、それに応じて一方または両方の管継手の回動筒部を前方または後方に移動させればよい。
また、交換や接続作業のやり直し等に伴って、上記管継手を給湯管・給水管から取り外す必要が生じた場合は、例えば、次のようにしてその取外し作業を行うことができる。即ち、まず、第２管継手部材の回動筒部を後方に移動させて、凸部を第２係合部に嵌め入れる。そして、第２管継手部材の回動筒部を雄ねじ緩み方向に回動させると、凸部と第２切欠部とが係合して、回動筒部が第１管継手部材に対して雄ねじ緩み方向に回動不能な状態、即ち空回りしない状態となるので、雄ねじを雌ねじから外すことができる。
以上の通り、本発明による第２の混合水栓接続用管継手によれば、給湯管および給水管への混合水栓の接続作業を極めて容易にかつ確実に行うことができ、また、交換や接続作業のやり直し等に伴う給湯管・給水管からの取外し作業も簡単かつ確実に行うことができる。
【００１６】
本発明による第１および第２の混合水栓接続用管継手において、回動筒部の前後移動可能距離が２〜１０ｍｍであるのが好ましい。回動筒部の前後移動可能距離が２ｍｍ未満であると、給水管および給湯管の末端に設けられた雌ねじ前端の位置ズレを吸収することが難しくなる。一方、回動筒部の前後移動可能距離が１０ｍｍを越えると、第１管継手部材が長くなりすぎて前方に出っ張り、邪魔になるおそれがある。
【００１７】
【発明の実施の形態】
図１〜５は、本発明の第１の実施形態を示すものである。
【００１８】
図１において、浴室等の壁（Ｗ）の裏側に垂直に配された給湯管（図示略）および給水管（図示略）の各末端に、本発明による混合水栓接続用管継手（１）を介して、混合水栓（Ｖ）が接続されている。詳しい図示は省略したが、給湯管および給水管の各末端には、前方に開口した雌ねじが設けられており、これらの雌ねじが壁（Ｗ）にあけられた孔を介して壁（Ｗ）の表側に露出させられている。図１の混合水栓（Ｖ）は、シングルレバー式のものであって、水栓本体（Ｖ１）の後面に後方突出状の雄ねじ付き湯導入口部（図示略）および雄ねじ付き水導入口部（図示略）が左右に並んで設けられている。
【００１９】
図２〜５に示すように、混合水栓接続用管継手（１）は、第１管継手部材（２）と第２管継手部材（３）とを備えている。第１管継手部材（２）は、前端開口が閉鎖され、後端側に雄ねじ（２１ａ）付き給湯または給水管接続口部（２１）が設けられ、かつ周壁に複数の湯または水導出孔（２２）が円周方向に間隔をおいてあけられている水平筒状のものである。第２管継手部材（３）は、湯または水導出孔（２２）を覆うように第１管継手部材（２）に回動可能にかつ前後移動可能に嵌め被せられた回動筒部（３１）、回動筒部（３１）の周壁にあけられた湯または水通過孔（３１１）の外周縁に外方突出状に設けられた外方突出筒部（３２）、および外方突出筒部（３２）の先端側に連なって前方に伸びた混合水栓接続口部（３３）よりなる。第１管継手部材（２）の湯または水導出孔（２２）と回動筒部（３１）の湯または水通過孔（３１１）とを連通させるように、第１管継手部材（２）の内周面に環状連通溝（２３）が設けられている。回動筒部（３１）の内周面後端部と、第１管継手部材（２）の外周面における回動筒部前後移動区域（２Ｘ）の後端部とに、回動筒部（３１）を後方に移動させた際に互いに嵌まり合って回動筒部（３１）の回動を阻止しうる一方、回動筒部（３１）を前方に移動させた際に互いに前後にずれて回動筒部（３１）の回動を許容しうる嵌合部（３１２）（２４）が設けられている。両嵌合部（３１２）（２４）は、図４に示すように、歯車形の横断面を有している。回動筒部（３１）の前後移動可能距離（Ｓ）は、約１０ｍｍである（図３および５参照）。
【００２０】
第１管継手部材（２）の雄ねじ（２１ａ）付き給湯または給水管接続口部（２１）は、該部材（２）の全長のほぼ３分の１程度の長さを有している。また、雄ねじ（２１ａ）には、壁（Ｗ）にあけられた孔を覆い隠すための環状カバー（４）が嵌められている。
【００２１】
第１管継手部材（２）の外周面前端部には、回動筒部（３１）が前方に抜けるのを阻止する環状フランジ部（２５）が設けられている。また、第１管継手部材（２）外周面における雄ねじ（２１ａ）の前隣部分に環状溝が形成され、該溝に回動筒部（３１）が後方に抜けるのを阻止するＣ形ストッパ（５）が嵌め込まれている。第１管継手部材（２）の外周面において、これらフランジ部（２５）とストッパ（５）との間の部分が、回動筒部前後移動区域（２Ｘ）となされている。
【００２２】
第１管継手部材（２）外周面における回動筒部前後移動区域（２Ｘ）の中間に前後２つのパッキン収容溝が所定間隔をおいて形成され、これらの溝にＯリングよりなるパッキン（６）が回動筒部（３１）内周面に密接可能に嵌め込まれている。これらパッキン（６）と第１管継手部材（２）外周面との摩擦抵抗により、第２管継手部材（３）はそれ自体の重量によって勝手に回動しないようになっている。前記環状連通溝（２３）は、前後２つのパッキン（６）どうしの間に形成されている。湯または水導出孔（２２）は、環状連通溝（２３）の底に開口している。なお、湯または水導出孔（２２）は、少なくとも１つあればよい。
【００２３】
第１管継手部材（２）内周面における湯または水導出孔（２２）の後隣部分に、環状内方突出部（２５）が設けられている。第１管継手部材（２）の前端開口は、該部材（２）の雌ねじ付き前端部内にねじ込まれた雄ねじ付き閉鎖部材（７）によって、閉鎖されている。閉鎖部材（７）の軸心部に雌ねじ付き貫通孔があけられ、該孔に雄ねじ付き棒状弁体操作部材（８１）がねじ込まれている。ゴム等の弾性材料よりなるリング状弁体（８２）が、弁体操作部材（８１）の後端にビス止めされ、第１管継手部材（２）の内方突出部（２５）前面によって構成される弁座（８３）に対して当接・離間可能となされている。上記の弁体操作部材（８１）、弁体（８２）および弁座（８３）によって、止水弁（８）が構成されている。なお、止水弁（８）は必ずしも第１管継手部材（２）に備えられていなくてよい。
【００２４】
第２管継手部材（３）において、回動筒部（３１）の湯または水通過孔（３１１）は、該筒部（３１）が第１管継手部材（２）外周面における回動筒部前後移動区域（２Ｘ）のいずれに位置している場合でも、環状連通溝（２３）を介して第１管継手部材（２）の湯または水導出孔（２２）と連通するようになっている。
【００２５】
回動筒部（３１）の嵌合部（３１２）は、図４に示すように、外周に２等辺三角形の歯が規則的に多数設けられた外歯車形の横断面を有している。一方、これに嵌合する第１管継手部材（２）の嵌合部（２４）は、同じく図４に示すように、内周に２等辺三角形の歯が規則的に多数設けられた内歯車形の横断面を有している。この実施形態のように、両嵌合部（３１２）（２４）が歯車形の横断面を有するいわゆるセレーションによって構成されていれば、両者の嵌合に際して円周方向の位置合わせが容易である。
【００２６】
外方突出筒部（３２）の先端は、図３および５の上方に開口している。この先端開口は、外方突出筒部（３２）の雌ねじ付き先端部内にねじ込まれた雄ねじ付き閉鎖部材（９）によって、閉鎖されている。閉鎖部材（９）の内端側には、凹陥部（９１）が設けられている。外方突出筒部（３２）内の先端側は、基端側に比べて径の大きいものとなされており、両者の境界部分には、環状内方突出部（３２１）が設けられている。そして、外方突出筒部（３２）内の先端側に、筒状のストレーナ（１０）が、その一端部が凹陥部（９１）に嵌まり込むとともに他端が内方突出部（３２１）に当接した状態で、固定されている。
【００２７】
混合水栓接続口部（３３）は雌ねじを有しており、該口部（３３）に雄ねじ付き筒状ナット保持部材（１１）がねじ込まれている。ナット保持部材（１１）は、その前端部に外向きフランジ部（１１１）を有している。そして、固定用ナット（１２）の後端部に設けられた内向きフランジ（１２１）が、ナット保持部材（１１）の外向きフランジ（１１１）と混合水栓接続口部（３３）前端面との間に嵌め込まれている。これにより、固定用ナット（１２）が、混合水栓接続口部（３３）前端に、回動可能に設けられている。なお、水栓本体（Ｖ１）における湯導入口部および導入口部の各後端に固定用ナットが回動可能に設けられている場合もあり、それに対応させる場合には、混合水栓接続口部（３３）に、前記ナット保持部材（１１）および固定用ナット（１２）に代えて、雄ねじが設けられる。
【００２８】
次に、上記管継手（１）を用いて混合水栓（Ｖ）を給湯管および給水管に接続する方法を、図３〜５を参照して以下に説明する。まず、管継手（１）の回動筒部（３１）を後方に移動させて回動筒部（３１）と第１管継手部材（２）の嵌合部（３１２）（２４）どうしを嵌合させておいてから、第２管継手部材（３）の外方突出筒部（３２）または混合水栓接続口部（３３）を手で持って、第１管継手部材（２）後端側の雄ねじ（２１ａ）を、給湯管または給水管の末端の雌ねじにねじ込む。雄ねじ（２１ａ）のねじ込み作業が完了したら、管継手（１）の回動筒部（３１）を前方に移動させて前記嵌合部（３１２）（２４）どうしを外し、混合水栓接続口部（３３）が混合水栓（Ｖ）を接続するのに適した位置（図１参照）に来るように回動筒部（３１）を回動させる。そして、混合水栓接続口部（３３）の固定用ナット（１２）を、混合水栓（Ｖ）の水栓本体（Ｖ１）における湯または水導入口部の雄ねじにねじ嵌めて、両者を接続する。この際、給水管および給湯管の雌ねじの位置が互いに前後方向にずれている場合には、それに応じて一方または両方の管継手（１）の回動筒部（３１）を前方または後方に移動させればよい。このように、上記管継手（１）を用いれば、従来技術のように混合水栓接続口部が所要位置に来るまで雄ねじのねじ込み作業をやり直す必要がなく、また、給水管および給湯管の雌ねじの前後の位置ズレを容易に吸収することが可能であり、混合水栓の接続作業を極めて容易にかつ確実に行うことができる。
【００２９】
図６は、本発明の第２の実施形態を示すものである。この実施形態の混合水栓接続用管継手（１）では、回動筒部（３１）および第１管継手部材（２）の嵌合部（３１２ａ）（２４ａ）が、右側が欠けた欠円形の横断面を有するものとなっている。その他は、第１の実施形態と同じである。
【００３０】
図７は、本発明の第３の実施形態を示すものである。この実施形態の混合水栓接続用管継手（１）では、回動筒部（３１）および第１管継手部材（２）の嵌合部（３１２ｂ）（２４ｂ）が、左右両側が欠けた欠円形、即ち略小判形の横断面を有するものとなっている。その他は、第１の実施形態と同じである。
【００３１】
図８は、本発明の第４の実施形態を示すものである。この実施形態の混合水栓接続用管継手（１）では、回動筒部（３１）および第１管継手部材（２）の嵌合部（３１２ｃ）（２４ｃ）が、６角形の横断面を有するものとなっている。その他は、第１の実施形態と同じである。
【００３２】
図９および１０は、本発明の第５の実施形態を示すものである。この実施形態の混合水栓接続用管継手（１）では、回動筒部（３１）の嵌合部が２つの嵌合凸部（３１２ｄ）よりなり、第１管継手部材（２）の嵌合部が４つの嵌合凹部（２４ｄ）よりなる。２つの嵌合凸部（３１２ｄ）は、回動筒部（３１）の内周面の長さ中央部における左右対称位置に設けられている。４つの嵌合凹部（２４ｄ）は、第１管継手部材（２）の外周面における回動筒部前後移動区域（２Ｘ）の長さ中央部に、周方向に等間隔おきに設けられている。
【００３３】
上記管継手（１）にあっては、回動筒部（３１）を後方に移動させると、図９および１０に示すように、回動筒部（３１）の２つの嵌合凸部（３１２ｄ）と第１管継手部材（２）の２つの嵌合凹部（２４ｄ）とが互いに緩く嵌まり合り、それによって回動筒部（３１）の回動が阻止される。なお、図９および１０では、第１管継手部材（２）の４つの嵌合凹部（２４ｄ）のうち左右２つの嵌合凹部（２４ｄ）に嵌合凸部（３１２ｄ）が嵌まり込んでいるが、前後２つの嵌合凹部（２４ｄ）に嵌合凸部（３１２ｄ）が嵌まり込むようにしても勿論よい。一方、回動筒部（３１）を前方に移動させると、嵌合凸部（３１２ｄ）と嵌合凹部（２４ｄ）とが互いに前後にずれて外れ、それによって回動筒部（３１）が回動自在となる。その他は、第１実施形態とほぼ同じである。
【００３４】
図１１〜１４は、本発明の第６の実施形態を示すものである。この実施形態の混合水栓接続用管継手（１０）では、第１管継手部材（２）の外周面における回動筒部前後移動区域（２Ｘ）の後端部に２つの凸部（２６）が設けられるとともに、回動筒部（３１）の内周面後端部に、２つの凸部（２６）それぞれと係合して雄ねじ（２１ａ）締付方向への回動筒部（３１）の回動を阻止する２つの第１切欠部（３１３）と、２つの凸部（２６）それぞれと係合して雄ねじ（２１ａ）緩み方向への回動筒部（３１）の回動を阻止する２つの第２切欠部（３１４）とが設けられている。第１切欠部（３１３）には、凸部（２６）と係合した状態から回動筒部（３１）を雄ねじ（２１ａ）緩み方向に回動させた際に凸部（２６）を第１切欠部（３１３）の外に送り出す傾斜状第１案内面（３１３ａ）が設けられている。第２切欠部（３１４）には、凸部（２６）と係合した状態から回動筒部（３１）を雄ねじ（２１ａ）締付方向に回動させた際に凸部（２６）を第２切欠部（３１４）の外に送り出す傾斜状第２案内面（３１４ａ）が設けられている。
【００３５】
２つの凸部（２６）は、図１２に示すように、前記回動筒部前後移動区域（２Ｘ）の後端部の対称位置に設けられている。これらの凸部（２６）は、外周に２つの凸部を有しかつ前記回動筒部前後移動区域（２Ｘ）の後端部にねじ嵌められた凸部形成用リング（２６０）の該凸部によって構成されている。もっとも、凸部（２６）は、第１管継手部材（２）と一体に形成されていてもよい。
【００３６】
また、図１２に示すように、２つの第１切欠部（３１３）は、回動筒部（３１）の内周面後端部における１直径線上の対称位置に設けられており、２つの第２切欠部（３１４）は、前記直径線と直交する直径線上の対称位置に設けられている。第１切欠部（３１３）は、図１３に示すように、前記第１案内面（３１３ａ）の他、回動筒部（３１）の後端面と直交するように形成されかつ回動筒部（３１）を第１管継手部材（２）に対して雄ねじ（２１ａ）締付方向に回動させた際に凸部（２６）と係合する係合面（３１３ｂ）と、第１案内面（３１３ａ）と係合面（３１３ｂ）との間に回動筒部（３１）の後端面と平行になるように形成されかつ凸部（２６）と向かい合う中間面（３１３ｃ）とを備えている。第２切欠部（３１４）は、図１４に示すように、前記第２案内面（３１４ａ）の他、回動筒部（３１）の後端面と直交するように形成されかつ回動筒部（３１）を第１管継手部材（２）に対して雄ねじ（２１ａ）緩み方向に回動させた際に凸部（２６）と係合する係合面（３１４ｂ）と、第２案内面（３１４ａ）と係合面（３１４ｂ）との間に回動筒部（３１）の後端面と平行になるように形成されかつ凸部（２６）と向かい合う中間面（３１４ｃ）とを備えている。
【００３７】
管継手（１０）の上記以外の構成は、図１〜５に示す管継手（１）と同じである。
【００３８】
次に、上記管継手（１０）を用いて混合水栓を給湯管および給水管に接続する手順の一例を以下に説明する。
まず、管継手（１０）における第２管継手部材（３）の回動筒部（３１）を後方に移動させて、凸部（２６）を第１切欠部（３１３）に嵌め入れておいてから（図１１、１２、１３（ａ）参照）、第１管継手部材（２）後端側の雄ねじ（２１ａ）を給湯管および給水管の各末端の雌ねじに合わせ、第２管継手部材（３）の回動筒部（３１）を雄ねじ（２１ａ）締付方向に回動させる。すると、図１３（ａ）に示すように、凸部（２６）と第１切欠部（３１３）の係合面（３１３ｂ）とが係合して、回動筒部（３１）が第１管継手部材（２）に対して雄ねじ（２１ａ）締付方向に回動不能な状態、即ち、空回りしない状態となるので、雄ねじ（２１ａ）を雌ねじにねじ込むことができる。なお、上記において、凸部（２６）を誤って第２切欠部（３１４）に嵌め入れた場合でも、回動筒部（３１）を雄ねじ（２１ａ）締付方向に回動させると、図１４（ｂ）に示すように、第２案内面（３１４ａ）によって凸部（２６）が外に送り出されるため、誤操作のおそれがない。
雄ねじ（２１ａ）の締め込み作業が完了したら、回動筒部（３１）を雄ねじ（２１ａ）緩み方向に回動させる。すると、図１３（ｂ）に示すように、凸部（２６）が第１案内面（３１３ａ）によって第１切欠部（３１３）の外、即ち前方に送り出され、回動筒部（３１）が第１管継手部材（２）に対して回動可能となる。このように、上記管継手（１０）の場合、誤って雄ねじ（２１ａ）を緩めてしまうおそれがない。そして、混合水栓接続口部（３３）が混合水栓を接続するのに適した位置に来るように回動筒部（３１）を回動させる。最後に、混合水栓接続口部（３３）を混合水栓の水栓本体における湯または水導入口に接続する。この際、給水管および給湯管各末端の雌ねじの位置が前後方向にずれている場合には、それに応じて一方または両方の管継手（１０）の回動筒部（３１）を前方または後方に移動させればよい。
【００３９】
また、交換や接続作業のやり直し等に伴って、上記管継手（１０）を給湯管・給水管から取り外す場合は、例えば以下のようにしてその作業を行う。
即ち、まず、第２管継手部材（３）の回動筒部（３１）を後方に移動させて、凸部（２６）を第２切欠部（３１４）に嵌め入れる。そして、第２管継手部材（３）の回動筒部（３１）を雄ねじ（２１ａ）緩み方向に回動させると、図１４（ａ）に示すように、凸部（２６）と第２切欠部（３１４）の係合面（３１４ｂ）とが係合して、回動筒部（３１）が第１管継手部材（２）に対して雄ねじ（２１ａ）緩み方向に回動不能な状態、即ち空回りしない状態となるので、これにより雄ねじ（２１ａ）を雌ねじから緩めて外すことができる。なお、上記において、凸部（２６）を誤って第１切欠部（３１３）に嵌め入れた場合でも、回動筒部（３１）を雄ねじ（２１ａ）緩み方向に回動させると、図１３（ｂ）に示すように、第１案内面（３１３ａ）によって凸部（２６）が外に送り出されるため、誤操作のおそれがない。
【００４０】
以上の通り、上記管継手（１０）によれば、給湯管および給水管への混合水栓の接続作業を極めて容易にかつ確実に行うことができ、また、交換や接続作業のやり直し等に伴う給湯管・給水管からの取外し作業も簡単かつ確実に行うことができる。
【００４１】
なお、上記の実施形態はあくまでも例示にすぎず、特許請求の範囲に記載された本発明の要旨を逸脱しない範囲で適宜に変更の上、本発明を実施することは勿論可能である。
【図面の簡単な説明】
【図１】本発明の第１の実施形態を示すものであって、混合水栓接続用管継手によって混合水栓を給湯管および給水管に接続した状態を示す斜視図である。
【図２】混合水栓接続用管継手の分解斜視図である。
【図３】両嵌合部どうしが嵌合した状態の混合水栓接続用管継手の縦断面図である。
【図４】図３のＩＶ−ＩＶ線に沿う横断面図である。
【図５】両嵌合部どうしが外れた状態の混合水栓接続用管継手の縦断面図である。
【図６】本発明の第２の実施形態を示すものであって、図４に相当する混合水栓接続用管継手の横断面図である。
【図７】本発明の第３の実施形態を示すものであって、図４に相当する混合水栓接続用管継手の横断面図である。
【図８】本発明の第４の実施形態を示すものであって、図４に相当する混合水栓接続用管継手の横断面図である。
【図９】本発明の第５の実施形態を示すものであって、両嵌合部どうしが嵌合した状態の混合水栓接続用管継手の縦断面図である。
【図１０】図９のＸ−Ｘ線に沿う横断面図である。
【図１１】本発明の第６の実施形態を示すものであって、混合水栓接続用管継手の凸部が第１切欠部に嵌まり込んだ状態の縦断面図である。
【図１２】図１１のＸＩＩ−ＸＩＩ線に沿う混合水栓接続用管継手の横断面図である。
【図１３】図１１の混合水栓接続用管継手の凸部が第１切欠部に嵌まり込んだ状態を示す部分拡大図であって、（ａ）は回動筒部を雄ねじ締付方向に回動させた状態、（ｂ）は回動筒部を雄ねじ緩み方向に回動させた状態を示すものである。
【図１４】図１１の混合水栓接続用管継手の凸部が第２切欠部に嵌まり込んだ状態を示す部分拡大図であって、（ａ）は回動筒部を雄ねじ緩み方向に回動させた状態、（ｂ）は回動筒部を雄ねじ締付方向に回動させた状態を示すものである。
【符号の説明】
（１）（１０）：混合水栓接続用管継手
（２）：第１管継手部材
（２１）：給湯または給水管接続口部
（２１ａ）：雄ねじ
（２２）：湯または水導出孔
（２３）：環状連通溝
（２４）（２４ａ）（２４ｂ）（２４ｃ）：嵌合部
（２４ｄ）：嵌合凹部（嵌合部）
（２６）：凸部
（２Ｘ）：回動筒部前後移動区域
（３）：第２管継手部材
（３１）：回動筒部
（３１１）：湯または水通過孔
（３１２）（３１２ａ）（３１２ｂ）（３１２ｃ）：嵌合部
（３１２ｄ）：嵌合凸部（嵌合部）
（３１３）：第１切欠部
（３１３ａ）：第１案内面
（３１４）：第２切欠部
（３１４ａ）：第２案内面
（３２）：外方突出筒部
（３３）：混合水栓接続口部
（Ｓ）：回動筒部の前後移動可能距離
【図１】
0003559906.tif 000002
【図２】
0003559906.tif 000003
【図３】
0003559906.tif 000004
【図４】
0003559906.tif 000005
【図５】
0003559906.tif 000006
【図６】
0003559906.tif 000007
【図７】
0003559906.tif 000008
【図８】
0003559906.tif 000009
【図９】
0003559906.tif 000010
【図１０】
0003559906.tif 000011
【図１１】
0003559906.tif 000012
【図１２】
0003559906.tif 000013
【図１３】
0003559906.tif 000014
【図１４】
0003559906.tif 000015